(57)【特許請求の範囲】
【請求項１】
表表紙、背表紙、裏表紙が連設された表紙の前記表表紙または前記裏表紙の内側に、冊子が着脱可能なホルダを前記背表紙に対して垂直に取り付け、前記表表紙または前記裏表紙に一端が取り付けられたベルトの他端側に、係止部材と係合部材とからなる係止具の一方の部材を配設するとともに、前記裏表紙または前記表表紙の外側に、前記係止具の一方の部材と係脱可能な前記係止具の他方の部材を配設したことを特徴とするシステム手帳。
【発明の詳細な説明】
【０００１】
【発明の属する技術分野】
この発明は、一週間の予定などを見開き１頁に記載し、該当頁を開くことによってその一週間の予定などを見易くしたシステム手帳に関するものである。
【０００２】
【従来の技術】
従来のシステム手帳は、表表紙、背表紙、裏表紙が連設された表紙の背表紙に、冊子が着脱可能なホルダが取り付けられている。
そして、背表紙に一端が取り付けられたベルトの他端側に係止具を構成する係合部材が配設され、表表紙の外側に、係合部材と係脱可能な係止具を構成する係止部材が配設されている。
【０００３】
したがって、表表紙と裏表紙とを閉じて係合部材を係止部材に係合させることにより、表表紙と裏表紙とを開かないように閉じることができるので、閉じた状態で持ち運ぶことができる。
また、使用に際しては係合部材を係止部材から離脱させ、表表紙を開いて該当頁を開けることにより、その一週間の予定などを確認することができるとともに、新たな予定などを記入することができる。
【０００４】
【発明が解決しようとする課題】
しかしながら、従来のシステム手帳は、机上において予定を確認する場合、冊子の該当頁を逐一開けなければならなかった。
そこで、持ち運ぶことができるとともに、机上などに立てて所望の頁を開けた状態で使用することにより、その一週間の予定を、冊子を逐一開けることなく確認することのできるシステム手帳が要望されている。
【０００５】
この発明は、上記した要望に応えるためになされたもので、机上などに立てて使用することのできるシステム手帳を提供するものである。
【０００６】
【課題を解決するための手段】
この発明のシステム手帳は、表表紙、背表紙、裏表紙が連設された表紙の表表紙または裏表紙の内側に、冊子が着脱可能なホルダを背表紙に対して垂直に取り付け、表表紙または裏表紙に一端が取り付けられたベルトの他端側に、係止部材と係合部材とからなる係止具の一方の部材を配設するとともに、裏表紙または表表紙の外側に、係止具の一方の部材と係脱可能な係止具の他方の部材を配設したものである。
【０００７】
【発明の実施の形態】
以下、この発明の実施形態を図に基づいて説明する。
図１はこの発明の一実施形態であるシステム手帳の閉じた状態を示す斜視図、図２は図１に示したシステム手帳の使用状態の一例を示す説明図、図３は図１に示したシステム手帳を立てる状態にするための説明図、図４は図１に示したシステム手帳を立てた状態の一例を示す斜視図、図５は図１に示したシステム手帳を立てた状態の他の例を示す斜視図である。
なお、図１〜図５は、ベルトなどを見易くするため、冊子の全てを右側へ移動させた状態としてある。
【０００８】
これらの図において、Ｎはシステム手帳を示し、表表紙１２、背表紙１３、裏表紙１４が連設された、例えばポリエチレン、ポリスチレン、ポリプロピレン、ポリエステルなどのプラスチック製の矩形をした表紙１１と、裏表紙１４の長手方向の中央（中心）に、背表紙１３に対して垂直に連設されたベルト２１と、このベルト２１と表表紙１２の外側とに配設された係止具３１Ａ，３１Ｂと、裏表紙１４の内側の、背表紙１３の長手方向の中央（中心）に、背表紙１３に対して垂直に取り付けられたホルダ４１と、このホルダ４１に着脱可能に取り付けられた冊子５１とで構成されている。
【０００９】
上記した表表紙１２と背表紙１３とを区画する直線状の折り曲げ線１５、背表紙１３と裏表紙１４とを区画する直線状の折り曲げ線１６、背表紙１３とベルト２１とを区画する直線状の折り曲げ線１７、ベルト２１に形成された直線状の折り曲げ線２２，２３は、互いに平行で、材料の弾性率に応じた筋押しの深さ、例えば弾性率が５０ｋｇ／ｍｍ２  のポリエチレン場合、筋押しの深さを厚さ（０．５ｍｍ〜２．５ｍｍ）の４０％位、また、弾性率が１２０ｋｇ／ｍｍ２  のポリスチレンの場合、筋押しの深さを厚さ（０．３ｍｍ〜０．５ｍｍ）の５０％位、また、弾性率が２００ｋｇ／ｍｍ２  のポリプロピレンの場合、筋押しの深さを厚さ（０．３ｍｍ〜０．５ｍｍ）の６０％位、また、弾性率が４３０ｋｇ／ｍｍ２  のポリエステルの場合、筋押しの深さを厚さ（０．３ｍｍ〜０．５ｍｍ）の７０％位として形成されている。
【００１０】
そして、折り曲げ線１５〜１７，２２，２３は、図１の状態で、内側に設けられ、折り曲げ線１５と折り曲げ線１６との間隔は、折り曲げ線１７と折り曲げ線２２との間隔と略同一とされている。
なお、折り曲げ線１７は裏表紙１４の縁よりも内側に設けられ、裏表紙１４とベルト２１との間に切り込みが設けられている。
【００１１】
次に、係止具３１Ａ（３１Ｂ）は、係合部材（雌部材）３２Ａ（３２Ｂ）と、この係合部材３２Ａ（３２Ｂ）に対して着脱可能な係止部材（雄部材）３３Ａ（３３Ｂ）とで構成されている。
そして、２つの係合部材３２Ａ，３２Ｂがベルト２１の短手方向（幅方向）の中心に長手方向（長さ方向）に沿って配設され、２つの係止部材３３Ａ，３３Ｂが表表紙１２の外側の対応個所に２つの係止部材３３Ａ，３３Ｂの間隔で配設されている。
なお、一方（一端側）の係合部材３２Ａは折り曲げ線２２と折り曲げ線２３との間の折り曲げ線２２側に配設され、他方（他端側）の係合部材３２Ｂは折り曲げ線２３よりも他端（折り曲げ線２２から離れた）側に配設されている。
【００１２】
また、ホルダ４１は、裏表紙１４の内側に取り付けられたベース部４２と、このベース部４２に等間隔に配設された開閉可能な、例えば６個のリング４３と、この６個のリング４３を開放させるためにベース部４２の両端に配設された開放操作部材４４とで構成されている。
なお、開放操作部材４４を操作してリング４３を開放させた状態で、いずれかのリング４３を把持して閉じると、他のリング４３が閉じるとともに、開放操作部材４４はリング４３を開放可能な状態に復帰する。
【００１３】
また、冊子５１は、６個のリング４３が挿通される一側縁に等間隔で空けた６つの孔５３が設けられ、所定の罫線、月日、曜日などが印刷された複数枚の矩形をした紙５２で構成されている。
なお、紙５２の縦方向（長手方向）の長さは裏表紙１４の短手方向の長さよりも短く、紙５２の横方向（短手方向）の長さは裏表紙１４の長手方向の半分の長さよりも短くなっている。
【００１４】
次に、システム手帳Ｎの通常の使用について説明する。
まず、図１に示す表表紙１２と裏表紙１４とを閉じて係合部材３２Ａ，３２Ｂを対応する係止部材３３Ａ，３３Ｂに係合させてシステム手帳Ｎを閉じている状態、すなわちシステム手帳Ｎを持ち運べる状態から、係合部材３２Ａ，３２Ｂを係止部材３３Ａ，３３Ｂから離脱させてベルト２１を開放方向へ回動させるとともに、表表紙１２および背表紙１３を開放方向へ回動させることにより、図２に示すように、システム手帳Ｎを開けて冊子５１の紙面を露出させることができる。
この図２の状態で、冊子５１の所望の頁を開けることにより、その一週間の予定などを確認することができるとともに、新たな予定を記入することができる。
【００１５】
次に、システム手帳Ｎの立て方ついて説明する。
まず、図２に示すシステム手帳Ｎを開けた状態から、ベルト２１をさらに開放方向へ回動させ、図３に示すように、裏表紙１４とベルト２１とが側面視Ｕ字状になるようにベルト２１を折り曲げ線２２，２３で折り曲げた後、表表紙１２および背表紙１３をさらに開放方向へ回動させ、図３に二点鎖線で示すように、表表紙１２と裏表紙１４とが平行状態になるように表表紙１２および背表紙１３を折り曲げ線１５，１６で折り曲げ、係合部材３２Ｂを係止部材３３Ｂに係合させるとともに、係合部材３２Ａを係止部材３３Ａに係合させることにより、図４に示すように、システム手帳Ｎを机上などに立てることができる。
図４の状態で、冊子５１の所望の頁を開けておくことにより、その一週間の予定などを、冊子５１を逐一開けることなく確認することができる。
【００１６】
また、上記のようにシステム手帳Ｎを立てる場合、係合部材３２Ｂを係止部材３３Ａに係合させることにより、図５に示すように、側面視で下底が上底よりも長い台形状態でシステム手帳Ｎを机上などに安定性よく立てることができる。
【００１７】
上述したように、この発明の一実施形態によれば、裏表紙１４の内側に、冊子５１が着脱可能なホルダ４１を背表紙１３に対して垂直に取り付けたので、表表紙１２と裏表紙１４とを背中合わせにして係止具３１Ａ，３１Ｂで固定することにより、システム手帳Ｎを机上などに立てることができる。
したがって、システム手帳Ｎを机上などに立てた状態で、冊子５１の所望の頁を開けた状態にしておくことにより、その一週間の予定などを、冊子５１を逐一開けることなく確認することができる。
【００１８】
また、２つの係止具３１Ａ，３１Ｂを配設したので、係合部材３２Ａ，３２Ｂと係止部材３３Ａ，３３Ｂとの係合関係を異ならせることにより、机上などと接触する下面の面積を必要に応じて拡げることができるので、システム手帳Ｎを安定性よく立てることができる。
さらに、表紙１１をプラスチックで構成したので、表紙１１としての剛性を確保できるとともに、システム手帳Ｎをしっかりと立てることができる。
また、バンド２１を折り曲げた状態で裏表紙１４の側縁からバンド２１がはみ出ないようにしたので、裏表紙１４の側縁がしっかりと机上などと接触することにより、システム手帳Ｎをぐらつかないように立てることができる。
【００１９】
上記した実施形態では、各折り曲げ線を図１の状態で内側に位置するように設けたが、外側に位置するように設けてもよい。
また、表紙を、プラスチックで構成したが、他の材料で構成してもよい。
さらに、バンドを裏表紙に連設させたが、ハンドの一端を裏表紙または表表紙に固定させて取り付けてもよい。
そして、係止具を２つとした例を示したが、係止具は２つ以上でも、１つであってもよい。
また、係合部材と係止部材とで構成される係止具を一例として示したが、同様に機能する他の係止具であってもよい。
【００２０】
【発明の効果】
以上のように、この発明によれば、表表紙または裏表紙の内側に、冊子が着脱可能なホルダを背表紙に対して垂直に取り付けたので、表表紙と裏表紙とを背中合わせにして係止具で固定することにより、システム手帳を机上などに立てることができる。
したがって、システム手帳を机上などに立てた状態で、冊子の所望の頁を開けた状態にしておくことにより、その一週間の予定などを、冊子を逐一開けることなく確認することができる。
【図面の簡単な説明】
【図１】この発明の一実施形態であるシステム手帳の閉じた状態を示す斜視図である。
【図２】図１に示したシステム手帳の使用状態の一例を示す説明図である。
【図３】図１に示したシステム手帳を立てる状態にするための説明図である。
【図４】図１に示したシステム手帳を立てた状態の一例を示す斜視図である。
【図５】図１に示したシステム手帳を立てた状態の他の例を示す斜視図である。
【符号の説明】
Ｎ              システム手帳
１１            表紙
１２            表表紙
１３            背表紙
１４            裏表紙
１５〜１７      折り曲げ線
２１            ベルト
２２，２３      折り曲げ線
３１Ａ，３１Ｂ  係止具
３２Ａ，３２Ｂ  係合部材
３３Ａ，３３Ｂ  係止部材
４１            ホルダ
４２            ベース部
４３            リング
４４            開放操作部材
５１            冊子
５２            紙
５３            孔
【図１】
0003612469.tif 000002
【図２】
0003612469.tif 000003
【図３】
0003612469.tif 000004
【図４】
0003612469.tif 000005
【図５】
0003612469.tif 000006